(57)【要約】【課題】スパイクをハウジング前面からガイドバーに平行に突出した第１の位置と、非突出状態の第２の位置との間で切り替えて保持可能とし、スパイクをハウジングから取り外す作業を不要にする。【解決手段】  ガイドバー２が取り付けられるハウジング１と、ハウジングの前側であって、ガイドバー２の根本付近に、これに近接したスパイク３とを有し、スパイク３を、ハウジング前面１ａからガイドバー２に平行に突出した第１の位置と、非突出状態の第２の位置との間で、切り替え保持機構により切り替えて保持可能である。切り替え保持機構はスパイク３に設けられたヒンジ部２１とこれをハウジング１に揺動自在に取り付ける段付ネジ２２とから構成される。【選択図】図１
2014091225.tif 000002
【特許請求の範囲】
【請求項１】
ガイドバーが取り付けられるハウジングと、
前記ハウジングの前側であって、前記ガイドバーの根本付近に、前記ガイドバーに近接したスパイクとを有するチェンソーにおいて、
前記スパイクを、前記ハウジング前面から前記ガイドバーに平行に突出した第１の位置と、非突出状態の第２の位置との間で切り替えて保持可能であることを特徴とするチェンソー。
【請求項２】
前記スパイクを、前記第１の位置と、前記第２の位置との間で切り替えて保持する切り替え保持機構を有し、
前記切り替え保持機構は、前記スパイクと前記ハウジングとを揺動自在に接続する揺動手段と、前記スパイクの揺動を規制する揺動規制手段とを有し、前記揺動規制手段は前記スパイクを前記第１の位置及び前記第２の位置でそれぞれ揺動規制可能であることを特徴とする請求項１に記載のチェンソー。
【請求項３】
前記揺動手段は、前記スパイク、あるいは前記スパイクと前記ハウジングの両方に設けられたヒンジ部と、前記ヒンジ部に挿入され、前記ヒンジ部を揺動可能に接続する軸部とを有し、
前記軸部は、前記スパイクの前記ヒンジ部、あるいは前記ハウジングの前記ヒンジ部、あるいは前記ハウジングのいずれかに固定又は一体化されていることを特徴とする請求項２に記載のチェンソー。
【請求項４】
前記揺動規制手段は、前記スパイクあるいは前記ハウジングに設けられた規制部材と、前記ハウジングあるいは前記スパイクに設けられた係止部とを有し、前記規制部材と前記係止部とが係合することによって前記スパイクの揺動が規制されることを特徴とする請求項２又は３に記載のチェンソー。
【請求項５】
前記規制部材は、前記係止部と係合する向きに弾性体によって付勢されており、前記弾性体の付勢方向と反対方向の力を加えることにより、前記規制部材と前記係止部との係合が解除され、前記スパイクの揺動の規制が解除されることを特徴とする請求項４に記載のチェンソー。
【請求項６】
前記規制部材は、前記ハウジングに対して移動自在で、かつ前記スパイクの揺動を規制する状態となるように弾性体で付勢されており、前記弾性体の付勢方向と反対方向の力を加えることで前記スパイクの揺動の規制が解除される位置に移動可能であることを特徴とする請求項４に記載のチェンソー。
【請求項７】
前記揺動規制手段は、前記スパイクが前記軸部の軸方向に摺動することにより、前記スパイクあるいは前記ハウジングに設けられた規制部材と前記ハウジングあるいは前記スパイクに設けられた係止部との係合及び係合の解除が行われることを特徴とする請求項３に記載のチェンソー。
【請求項８】
前記揺動規制手段は、前記スパイクの前記軸方向の摺動を前記規制部材と前記係止部が係合した状態で規制する摺動規制部材を有し、前記摺動規制部材は、弾性体で付勢され、前記弾性体の付勢と反対方向の力を手動で加えることにより、前記スパイクの前記軸方向の摺動の規制が解除されることを特徴とする請求項７に記載のチェンソー。
【請求項９】
前記ハウジングの前面から引き出し自在に補助揺動規制部材が設けられており、前記補助揺動規制部材は引出状態で前記第１の位置にあるスパイクの側面に当接することを特徴とする請求項１乃至８のいずれか一項に記載のチェンソー。
【請求項１０】
前記第２の位置では前記スパイクは前記ハウジングの前面を覆う配置となることを特徴とする請求項１乃至９のいずれか一項に記載のチェンソー。
【請求項１１】
前記第１の位置と前記第２の位置の切り替えを、工具無しで行う構成であることを特徴とする請求項１乃至１０のいずれか一項に記載のチェンソー。
【発明の詳細な説明】
【技術分野】
【０００１】
本発明は、木材などを切断するチェンソーに係り、とくにスパイクを有するチェンソーに関する。
【背景技術】
【０００２】
図１２乃至図１４に示すように、木材などを切断する従来のチェンソー１０は、ハウジング１の前方であって、ガイドバー２の根本付近に、ガイドバー２に近接したスパイク３を備える。スパイクは爪部４を有し、爪部４を木材などに食い込ませることで、切断作業時におけるチェンソー１０の位置が安定する。また、スパイク３を支点として、てこの原理によりソーチェン５の走行をガイドしているガイドバー２を木材などに対して少ない力で切り込むができる。
【０００３】
一方で、木材などにスパイク３の痕をつけたくない場合、あるいは小枝の剪定などスパイク３が不要な作業もある。
【０００４】
そこで、従来のチェンソーは、特許文献１に記載されたチェンソーのように、スパイク３はハウジング１にネジで固定され、このネジを外すことにより、ハウジング１からスパイク３を取り外すことが可能となっていた。
【先行技術文献】
【特許文献】
【０００５】
【特許文献１】実開昭６３−２１００２号公報
【発明の概要】
【発明が解決しようとする課題】
【０００６】
上記で述べたような従来の構造では、次のような課題がある。
【０００７】
スパイクの着脱にはドライバなどの工具を使ってネジの着脱をしなくてはならず、作業対象が変わるたびに工具を使ってスパイクの着脱を繰り返すのは作業性が悪い。また、外したスパイクやネジは紛失する恐れがある。
【０００８】
本発明はこうした状況を認識してなされたものであり、その目的は、スパイクをハウジング前面からガイドバーに平行に突出した第１の位置と、非突出状態の第２の位置との間で切り替えて保持可能とし、スパイクをハウジングから取り外す作業を不要にしたチェンソーを提供することにある。
【課題を解決するための手段】
【０００９】
本発明のある態様はチェンソーである。このチェンソーはガイドバーが取り付けられるハウジングと、前記ハウジングの前側であって、前記ガイドバーの根本付近に、前記ガイドバーに近接したスパイクとを有する構成において、
前記スパイクを、前記ハウジング前面から前記ガイドバーに平行に突出した第１の位置と、非突出状態の第２の位置との間で切り替えて保持可能であることを特徴とする。
【００１０】
前記態様において、前記スパイクを、前記第１の位置と、前記第２の位置との間で切り替えて保持する切り替え保持機構を有し、
前記切り替え保持機構は、前記スパイクと前記ハウジングとを揺動自在に接続する揺動手段と、前記スパイクの揺動を規制する揺動規制手段とを有し、前記揺動規制手段は前記スパイクを前記第１の位置及び前記第２の位置でそれぞれ揺動規制可能である構成であるとよい。
【００１１】
前記態様において、前記揺動手段は、前記スパイク、あるいは前記スパイクと前記ハウジングの両方に設けられたヒンジ部と、前記ヒンジ部に挿入され、前記ヒンジ部を揺動可能に接続する軸部とを有し、
前記軸部は、前記スパイクの前記ヒンジ部、あるいは前記ハウジングの前記ヒンジ部、あるいは前記ハウジングのいずれかに固定又は一体化された構成であるとよい。
【００１２】
前記態様において、前記揺動規制手段は、前記スパイクあるいは前記ハウジングに設けられた規制部材と、前記ハウジングあるいは前記スパイクに設けられた係止部とを有し、前記規制部材と前記係止部とが係合することによって前記スパイクの揺動が規制される構成であるとよい。
【００１３】
前記態様において、前記規制部材は、前記係止部と係合する向きに弾性体によって付勢されており、前記弾性体の付勢方向と反対方向の力を加えることにより、前記規制部材と前記係止部との係合が解除され、前記スパイクの揺動の規制が解除される構成であるとよい。また、前記規制部材は、前記ハウジングに対して移動自在で、かつ前記スパイクの揺動を規制する状態となるように弾性体で付勢されており、前記弾性体の付勢方向と反対方向の力を加えることで前記スパイクの揺動の規制が解除される位置に移動可能である構成であってもよい。
【００１４】
前記態様において、前記揺動規制手段は、前記スパイクが前記軸部の軸方向に摺動することにより、前記スパイクあるいは前記ハウジングに設けられた規制部材と前記ハウジングあるいは前記スパイクに設けられた係止部との係合及び係合の解除が行われるとよい。
【００１５】
前記態様において、前記揺動規制手段は、前記スパイクの前記軸方向の摺動を前記規制部材と前記係止部が係合した状態で規制する摺動規制部材を有し、前記摺動規制部材は、弾性体で付勢され、前記弾性体の付勢と反対方向の力を手動で加えることにより、前記スパイクの前記軸方向の摺動の規制が解除される構成であるとよい。
【００１６】
前記態様において、前記ハウジングの前面から引き出し自在に補助揺動規制部材が設けられており、前記補助揺動規制部材は引出状態で前記第１の位置にあるスパイクの側面に当接する構成であるとよい。
【００１７】
前記態様において、前記第２の位置では前記スパイクは前記ハウジングの前面を覆う配置になるとよい。
【００１８】
前記態様において、前記第１の位置と前記第２の位置の切り替えを、工具無しで行う構成であるとよい。
【００１９】
なお、以上の構成要素の任意の組合せ、本発明の表現を方法やシステムなどの間で変換したものもまた、本発明の態様として有効である。
【発明の効果】
【００２０】
本発明に係るチェンソーによれば、スパイク使用時にはスパイクをハウジング前面からガイドバーに平行に突出した第１の位置とし、スパイク不使用時には非突出状態の第２の位置になるようにスパイクを切り替えて保持可能である。この結果、スパイクをハウジングから取り外す作業を不要にでき、またスパイクを取り外さないのでスパイク及び取付用ネジの紛失の恐れがなくなる。
【図面の簡単な説明】
【００２１】
【図１】本発明に係るチェンソーの第１の実施の形態であって、スパイクの使用状態を上から見た要部平面図。
【図２】図１のＡ−Ａ断面図。
【図３】第１の実施の形態においてスパイクの不使用状態を上から見た要部平面図。
【図４】本発明の第２の実施の形態であって、第１の実施の形態に補助揺動規制部材を追加した構成でスパイク使用状態を示す要部平面図。
【図５】図４のＢ−Ｂ断面図。
【図６】図５のＣ−Ｃ断面図。
【図７】第２の実施の形態においてスパイク不使用状態の断面図（断面位置は図４のＢ−Ｂと同じ）。
【図８】本発明の第３の実施の形態であって、スパイク使用状態を示す要部正断面図。
【図９】図８のＤ−Ｄ断面図。
【図１０】第３の実施の形態においてスライドロックが解除され、スパイクが上方向に摺動した状態の正断面図。
【図１１】第３の実施の形態においてスパイク不使用状態の断面図（断面位置は図８のＤ−Ｄと同じ）。
【図１２】従来のチェンソーの平面図。
【図１３】同正面図。
【図１４】同背面図。
【発明を実施するための形態】
【００２２】
以下、図面を参照しながら本発明の好適な実施の形態を詳述する。なお、各図面に示される同一または同等の構成要素、部材、処理等には同一の符号を付し、適宜重複した説明は省略する。また、実施の形態は発明を限定するものではなく例示であり、実施の形態に記述されるすべての特徴やその組み合わせは必ずしも発明の本質的なものであるとは限らない。
【００２３】
図１乃至図３は本発明に係るチェンソーの第１の実施の形態を示す。図２でチェンソーの前後及び上下方向を定義する。これらの図において、ハウジング１の前側には、その前方に延在するようにソーチェンをガイドするガイドバー２が取り付けられている。スパイク３はハウジング１の前側であって、ガイドバー２の根本付近に近接配置されるものであるが、本例では、スパイク３を、ハウジング前面１ａからガイドバー２に平行に突出した使用状態（第１の位置）と、ハウジング前面１ａに略平行（ガイドバー２に対して非平行）に伏せた非突出の不使用状態（第２の位置）との間で、切り替え保持機構によって切り替えて保持可能としている。前記切り替え保持機構は、スパイク３とハウジング１とを揺動自在に接続する揺動手段と、スパイク３の揺動を規制する揺動規制手段とを有し、前記揺動規制手段はスパイク３を前記第１の位置及び前記第２の位置でそれぞれ揺動規制可能としている。具体的構成を以下に述べる。
【００２４】
スパイク３の上下端には、ヒンジ部２１が折り曲げ形成等で一体に設けられており、段付ネジ２２によりヒンジ部２１をハウジング１に回転自在に取り付けることで、スパイク３とハウジング１は段付ネジ２２を中心に揺動可能に接続（連結）されている。ヒンジ部２１及び段付ネジ２２が前記揺動手段に相当する。ヒンジ部２１にはロックボタン２５と係合する使用状態用凹部３１（前記第１の位置にロックするためのもの）及び不使用状態用凹部３２（前記第２の位置にロックするためのもの）が設けられている。
【００２５】
図１のＡ−Ａ断面を示す図２のように、ロックボタン２５はハウジング１の上部に上下動自在でかつ脱落しないように設けられており、弾性体としてのバネ２６により上向きに付勢され、外力が働かない状態ではハウジング１の上面から突出している。なお、手動操作で押圧容易なように、ロックボタン２５は凹部３１，３２と嵌合する部分よりも手動押圧部分が一段高く形成されている。ロックボタン２５と凹部３１、３２とが前記揺動規制手段に相当し、ロックボタン２５が規制部材、凹部３１，３２が係止部に相当する。
【００２６】
以上の第１の実施の形態において、図１のようにスパイク３と一体のヒンジ部２１の凹部３１とロックボタン２５が係合するとき、スパイク３はハウジング前面１ａからガイドバー２に平行に突出した使用状態（第１の位置）で揺動が規制される。この結果、チェンソーの作業者はスパイク３を利用した木材などの切断作業を行うことができる。
【００２７】
ロックボタン２５はバネ２６により上向きに付勢されているから、手動操作によりバネ２６の付勢と反対方向にロックボタン２５を下向きに押し込むと、凹部３１とロックボタン２５の係合が解除され、スパイク３は揺動可能となる。
【００２８】
スパイク３を回動させてハウジング前面１ａに略平行となるまで折り畳めば、図３のようにスパイク３は、非突出の不使用状態（前記第２の位置）となり、また、この折り畳まれた状態ではスパイク３はハウジング前面１ａを覆うこととなる。ヒンジ部２１にはロックボタン２５と係合する凹部３２が設けられているから、ロックボタン２５を下向きに押し込むのをやめると、バネ２６によりロックボタン２５は押し上げられ、凹部３２とロックボタン２５が係合する。これによりスパイク３は非突出の不使用状態で揺動が規制される。この結果、チェンソーの作業者はスパイク３を使用しない小枝剪定などの作業を行うことができる。
【００２９】
スパイク３の不使用状態から使用状態への切り替えもロックボタン２５を下向きに押圧することで同様に行うことができる。
【００３０】
本実施の形態によれば、下記の効果を奏することができる。
【００３１】
(1) スパイク使用時にはスパイク３をハウジング前面１ａからガイドバー２に平行に突出した第１の位置とし、スパイク不使用時にはハウジング前面１ａに略平行に折り畳まれた非突出状態の第２の位置になるように、スパイク３を切り替えて保持可能である。この結果、工具を用いてスパイク３をハウジングから取り外す作業を不要にでき、またスパイク３を取り外さないのでスパイク紛失の恐れがなくなる。
【００３２】
(2) 通常、ハウジング１は樹脂製、スパイク３は所定肉厚の金属板であり、従来のように、スパイク不使用時にスパイクを外すと、ハウジング前面１ａに木材などが直接当たることになり、ハウジング１の前面が損傷する恐れがあるが、不使用時にはスパイク３がハウジング１の前面を覆うことになり、ハウジング１の前面を保護することができる。
【００３３】
図４乃至図７は本発明の第２の実施の形態であって、使用状態におけるスパイク３の揺動規制を、より堅固にするため、前記第１の実施の形態に補助揺動規制部材４０を加えた構成を示す。
【００３４】
この場合、補助揺動規制部材４０は上下部分が直線部４５となった略コ字状であり、直線部４５はハウジング１に形成された穴部１ｂに摺動自在に嵌合し、ハウジング１に対して前後に移動可能である。補助揺動規制部材４０は前方に引き出された状態ではハウジング前面１ａから突出してスパイク３の側面に当接する。また、補助揺動規制部材４０の引き込み状態では、ハウジング前面１ａに形成された収納凹部１ｃに収納される。
【００３５】
ロックボタン２５には摺動規制部２７が一体化若しくは接続されており、摺動規制部２７はハウジング１内を上下に摺動可能である。摺動規制部２７には貫通穴２８が設けられており、貫通穴２８には補助揺動規制部材４０の直線部４５が挿入され、摺動可能となっている。摺動規制部２７はバネ２６により上方へ付勢されており、貫通穴２８の縁が直線部４５の引出状態用凹部４１に係合したときに、補助揺動規制部材４０は引出状態で前後の摺動が規制される。また、貫通穴２８の縁が直線部４５の収納状態用凹部４２に係合したときに、補助揺動規制部材４０は収納凹部１ｃに収納された収納状態で前後の摺動が規制される。なお、直線部４５の端部はハウジング１から脱落しない構造となっている。
【００３６】
以上の第２の実施の形態において、図４乃至図６のように、スパイク３と一体のヒンジ部２１の凹部３１とロックボタン２５とを係合させ、かつ補助揺動規制部材４０をハウジング前面１ａから前方に引き出してスパイク３の側面に当接させることで、スパイク３をハウジング前面１ａからガイドバー２に平行に突出した使用状態（第１の位置）で揺動規制することができる。補助揺動規制部材４０は、その引出状態用凹部４１が摺動規制部２７と係合することで引出状態に保持され、スパイク３がハウジング前面１ａ側に向けて揺動しないように揺動規制している。なお、スパイク３がガイドバー２側に揺動することは、ヒンジ部２１の凹部３１とロックボタン２５との係合に加えて、スパイク３の末端縁３ａがハウジング前面１ａに形成された段差面１ｄに当接することで阻止される。
【００３７】
ロックボタン２５及びこれと一体的に動く摺動規制部２７は、バネ２６により上向きに付勢されているから、手動操作によりバネ２６の付勢と反対方向にロックボタン２５を下向きに押し込むと、貫通穴２８の縁と使用状態用凹部４１の係合が解除され、補助揺動規制部材４０は摺動可能となる。補助揺動規制部材４０をハウジング前面１ａから突出しなくなるまで後方へ摺動させ、収納凹部１ｃへ収納すると、スパイク３は揺動可能となる。揺動可能となったスパイク３は、図７のようにハウジング前面１ａの側に折り畳まれ非突出の不使用状態（前記第２の位置）となる。ロックボタン２５を離すとバネ２６の付勢により摺動規制部２７は押し上げられ、貫通穴２８の縁と収納状態用凹部４２が係合し、補助揺動規制部材４０の摺動が規制される（補助揺動規制部材４０の収納凹部１ｃへの収納状態が保持される。）。
【００３８】
この第２の実施の形態によれば、スパイク３の使用時において補助揺動規制部材４０によってもスパイク３をガイドバー２に平行な使用状態を維持するように支えることができ、スパイク３の機械的な保持強度の向上を図ることができる。
【００３９】
図８乃至図１１は本発明の第３の実施の形態を示す。この場合、揺動規制手段は、ハウジング側のヒンジ部５４、スパイク側のヒンジ部６０、軸部５３、使用状態用溝部５１及び不使用状態用溝部５２を有している。
【００４０】
すなわち、スパイク３を、ハウジング前面１ａからガイドバーに平行に突出した使用状態（第１の位置）に保持するために、使用状態用溝部５１がハウジング１に形成されている。また、スパイク３を非突出状態、つまりハウジング１に収納された（ハウジング前面１ａに略平行に折り畳まれた）不使用状態（第２の位置）に保持するために、不使用状態用溝部５２がハウジング１に形成されている。溝部５１，５２が設けられたハウジング１の一部分が規制部材に相当し、溝部５１，５２に係合するスパイク３の一部分が係止部に相当する。また、使用状態用溝部５１と不使用状態用溝部５２とが繋がった部分に軸部５３がハウジング前面１ａと平行で上下方向に設けられている。図示の例では軸部５３はハウジング１のヒンジ部５４に圧入されることでハウジング１に固定保持される。
【００４１】
一方、スパイク３の上下部分には円筒状のヒンジ部６０が一体に形成され、ヒンジ部６０は軸部５３に対して揺動自在かつ摺動自在に装着される。摺動規制部材としてのスライドロック５５は、ハウジング１の上面側に配置されるもので、ハウジング１に対して横方向に摺動自在（例えば前後方向）に取り付けられ、バネ５６によりスパイク３を抜け止めするよう付勢されている。つまり、外力が無い状態では、図８に示すようにスパイク３の上側のヒンジ部６０が上方に抜けないように軸部５３の上部に係合する。
【００４２】
以上の第３の実施の形態において、図８及び図９のようにスパイク３が使用状態用溝部５１に係合（嵌合）しているとき、スパイク３はハウジング前面１ａからガイドバーに平行に突出した使用状態（第１の位置）で揺動が規制されるとともに、スライドロック５５でスパイク３の抜けが防止される。この結果、チェンソーの作業者はスパイク３を利用した木材などの切断作業を行うことができる。
【００４３】
図１０において、スライドロック５５をバネ５６の付勢方向とは反対方向に手動で摺動させると、スパイク３の抜け止めが解除され、スパイク３は軸部５３に対して上方向に摺動可能となる。スパイク３が上方向に摺動すると使用状態用溝部５１とスパイク３との係合が解除され、スパイク３は軸部５３を中心に揺動可能となる。
【００４４】
図１０の状態を経て図１１のようにスパイク３を非突出の不使用状態（第２の位置）にまで揺動させ、軸部５３に対して下方向に摺動させて不使用状態用溝部５２に係合（嵌合）させれば、スパイク３の下端付近をハウジング１内に収納することができるとともに、ハウジング前面１ａの側に折り畳まれ非突出の不使用状態とすることができる。この結果、チェンソーの作業者はスパイク３を使用しない小枝剪定などの作業を行うことができる。また、このとき、スパイク３はハウジング前面１ａを覆うことになり、ハウジング前面１ａを保護することができる。
【００４５】
スパイク３の不使用状態から使用状態への切り替えも、スライドロック５５をバネ５６の付勢方向とは反対方向に摺動させ、スパイク３の抜け止めを解除し、図１０の状態とすることで同様に行うことができる。
【００４６】
以上、実施の形態を例に本発明を説明したが、実施の形態の各構成要素や各処理プロセスには請求項に記載の範囲で種々の変形が可能であることは当業者に理解されるところである。以下、変形例について触れる。
【００４７】
第１の実施の形態では、規制部材として上下動するロックボタン２５を用いたが、その代わりにハウジングに対して横方向に摺動自在な規制部材を用いてもよい。
【００４８】
ハウジング１に対してスパイク３を揺動自在に接続する揺動手段として用いるヒンジ部及び軸部の構成は、第１乃至第３の実施の形態に例示したもの以外の構成でもよく、スパイク３、あるいはスパイク３とハウジング１の両方に設けられたヒンジ部と、前記ヒンジ部に挿入され、前記ヒンジ部を揺動可能に接続する軸部とを有する場合において、前記軸部は、前記スパイクの前記ヒンジ部、あるいは前記ハウジングの前記ヒンジ部、あるいは前記ハウジングのいずれかに固定又は一体化されていればよい。
【符号の説明】
【００４９】
１  ハウジング
１ａ  ハウジング前面
２  ガイドバー
３  スパイク
１０  チェンソー
２１，５４，６０  ヒンジ部
２２  段付ネジ
２５  ロックボタン
２６，５６  バネ
２７  摺動規制部
３１  使用状態用凹部
３２  不使用状態用凹部
４０  補助揺動規制部材
４１  引出状態用凹部
４２  収納状態用凹部
４５  直線部
５１  使用状態用溝部
５２  不使用状態用溝部
５３  軸部
５５  スライドロック
【図１】
2014091225.tif 000003
【図２】
2014091225.tif 000004
【図３】
2014091225.tif 000005
【図４】
2014091225.tif 000006
【図５】
2014091225.tif 000007
【図６】
2014091225.tif 000008
【図７】
2014091225.tif 000009
【図８】
2014091225.tif 000010
【図９】
2014091225.tif 000011
【図１０】
2014091225.tif 000012
【図１１】
2014091225.tif 000013
【図１２】
2014091225.tif 000014
【図１３】
2014091225.tif 000015
【図１４】
2014091225.tif 000016